(57)【要約】  導光板、バックライトモジュール及び表示装置を提供している。この導光板は、本体と、複数の第１のストリップ状微細構造と、複数の第２のストリップ状微細構造と、複数の第３のストリップ状微細構造とを含む。本体は、光入射面と、光入射面に接続された光学面とを有する。光学面は、第１の領域及び第２の領域を有し、第１の領域は、第２の領域よりも光入射面に近い。第１のストリップ状微細構造は、第１の領域に設けられ、各第１のストリップ状微細構造は、光入射面に対して垂直な方向に沿って延在している。第２のストリップ状微細構造は、第２の領域に設けられ、各第２のストリップ状微細構造は、当該方向に沿って延在している。各第２のストリップ状微細構造の光入射面に近い一端部の幅は、光入射面から離れた他端部の幅よりも小さい。第３のストリップ状微細構造は、光学面の第１のストリップ状微細構造及び第２のストリップ状微細構造が設けられていない部分領域又は全領域に設けられている。
2019533290.tif 000002
【特許請求の範囲】
【請求項１】
光入射面と前記光入射面に接続された光学面とを有し、前記光学面は、第１の領域及び第２の領域を有し、前記第１の領域が前記第２の領域よりも前記光入射面に近い本体と、
前記第１の領域に設けられ、前記光入射面に対して垂直な方向に沿って延在している複数の第１のストリップ状微細構造と、
前記第２の領域に設けられ、前記方向に沿って延在していると共に、前記光入射面に近い一端部の幅が前記光入射面から離れた他端部の幅よりも小さい複数の第２のストリップ状微細構造と、
前記光学面の前記複数の第１のストリップ状微細構造及び前記複数の第２のストリップ状微細構造が設けられていない部分領域又は全領域に配置されている複数の第３のストリップ状微細構造と、を備える導光板。
【請求項２】
前記複数の第１のストリップ状微細構造の固有の形態は、前記複数の第２のストリップ状微細構造の固有の形態とは異なる、請求項１に記載の導光板。
【請求項３】
前記複数の第３のストリップ状微細構造のそれぞれは、前記方向に沿って延在している、請求項１に記載の導光板。
【請求項４】
前記第１の領域と前記第２の領域とは、前記方向に沿って配列されている、請求項１に記載の導光板。
【請求項５】
前記複数の第２のストリップ状微細構造のそれぞれは、凸状構造であり、前記複数の第２のストリップ状微細構造のそれぞれの前記光入射面に近い一端部の高さは、前記光入射面から離れた他端部の高さよりも小さい、請求項１に記載の導光板。
【請求項６】
前記複数の第２のストリップ状微細構造のそれぞれは、凹状構造であり、前記複数の第２のストリップ状微細構造のそれぞれの前記光入射面に近い一端部の深さは、前記光入射面から離れた他端部の深さよりも小さい、請求項１に記載の導光板。
【請求項７】
前記本体は、縮径部と平板部とをさらに含み、前記光入射面は、前記縮径部の一側に位置し、前記光学面は、前記平板部上に位置している、請求項１に記載の導光板。
【請求項８】
前記複数の第１のストリップ状微細構造のそれぞれは、互いに連続的に設けられている、請求項１乃至７のいずれか１項に記載の導光板。
【請求項９】
前記複数の第１のストリップ状微細構造のそれぞれは、ストリップ状部と前記ストリップ状部の前記光入射面から離れた一端部に接続された縮径構造とを含み、且つ前記縮径構造の幅は、前記光入射面に近い一端部から前記光入射面から離れた他端部に向かって徐々に小さくなっている、請求項１乃至７のいずれか１項に記載の導光板。
【請求項１０】
前記複数の第２のストリップ状微細構造のそれぞれは、ストリップ状部と前記ストリップ状部の前記光入射面に近い一端部に接続された縮径構造とを含み、且つ前記縮径構造の幅は、前記光入射面に近い一端部から前記光入射面から離れた他端部に向かって徐々に大きくなっている、請求項１乃至７のいずれか１項に記載の導光板。
【請求項１１】
前記複数の第１のストリップ状微細構造のエンド部は、第１の輪郭を形成し、前記複数の第２のストリップ状微細構造のエンド部は、第２の輪郭を形成し、前記第１の輪郭と前記第２の輪郭によって扇形領域を画定している、請求項１乃至７のいずれか１項に記載の導光板。
【請求項１２】
前記複数の第３のストリップ状微細構造は、複数の第１の構造ユニットを含み、前記複数の第１の構造ユニットのそれぞれの一端部は、前記複数の第１のストリップ状微細構造に接続され、他端部は、前記複数の第２のストリップ状微細構造に接続されている、請求項１乃至７のいずれか１項に記載の導光板。
【請求項１３】
前記複数の第３のストリップ状微細構造は、複数の第２の構造ユニットを含み、前記複数の第２の構造ユニットのそれぞれの一端部は、前記第１のストリップ状微細構造に接続され、他端部は、前記光学面の前記光入射面から離れた側縁に接続されている、請求項１乃至７のいずれか１項に記載の導光板。
【請求項１４】
前記複数の第３のストリップ状微細構造は、複数の第３の構造ユニットを含み、前記複数の第３の構造ユニットのそれぞれの一端部は、前記光学面の前記光入射面に近い第１の側縁に接続され、他端部は、前記光学面の前記光入射面から離れた第２の側縁に接続されている、請求項１乃至７のいずれか１項に記載の導光板。
【請求項１５】
前記複数の第３のストリップ状微細構造は、複数の第４の構造ユニットを含み、前記複数の第４構造ユニットのそれぞれの一端部は、前記光学面の前記光入射面に近い側縁に接続され、他端部は、前記複数の第２のストリップ状微細構造に接続されている、請求項１乃至７のいずれか１項に記載の導光板。
【請求項１６】
前記複数の第３のストリップ状微細構造は、複数の第５の構造ユニットを含み、前記複数の第５の構造ユニットのそれぞれの一端部は、前記光学面の前記光入射面に近い第１の側縁と前記光学面の前記光入射面から離れた第２の側縁との間に位置し、他端部は、前記第２の側縁に接続されている、請求項１乃至７のいずれか１項に記載の導光板。
【請求項１７】
前記複数の第３のストリップ状微細構造は、複数の第６の構造ユニットを含み、前記複数の第６の構造ユニットのそれぞれの一端部は、前記光学面の前記光入射面に近い第１の側縁と前記光学面の前記光入射面から離れた第２の側縁との間に位置し、他端部は、前記複数の第２のストリップ状微細構造に接続されている、請求項１乃至７のいずれか１項に記載の導光板。
【請求項１８】
請求項１に記載の導光板と、
前記導光板の光入射面に隣接して設けられた少なくとも１つの光源と、を備えるバックライトモジュール。
【請求項１９】
請求項１に記載の導光板と、
前記導光板の光入射面に隣接して設けられた少なくとも１つの光源と、
前記導光板の前方に設けられた表示パネルと、を備える表示装置。
【発明の詳細な説明】
【技術分野】
【０００１】
本発明は、導光組立体及びその応用に関し、特に、導光板、及びバックライトモジュール及び表示装置における導光板の応用に関する。
【背景技術】
【０００２】
公知のバックライトモジュールは、主に、ランプバーと導光板とを含む。ランプバーは、回路基板と、回路基板の表面に設けられた発光ダイオードとを含む。導光板は、発光ダイオードの横に設けられており、導光板の光入射面は、発光ダイオードの光射出面に貼り合わされることにより、発光ダイオードの光を有効に利用することができる。しかしながら、導光板の光入射面と発光ダイオードの光射出面とが貼り合わされているため、導光板の発光ダイオードに近い部分に、明帯や輝度ムラの問題が生じやすく、導光板の光学的外観に大きな影響を与える。
【０００３】
一方、導光板の内部を通過する光源をより均一に混合させるために、導光板の光射出面に角柱状の微細構造を設けることが一般的であるが、角柱状の微細構造は光の指向性を高めやすいため、導光板に明暗模様（Ｂｒｉｇｈｔ  Ｂａｎｄ，Ｄａｒｋ  Ｂａｎｄ）が発生するという問題がある。
【発明の概要】
【発明が解決しようとする課題】
【０００４】
そこで、本発明は、導光板にストリップ状の微細構造を設けて、導光板の光射出ムラの問題を改善することができるうえで、バックライトモジュール全体及び表示装置の光射出外観の均一性を向上させることができる導光板、バックライトモジュール及び表示装置を提供することを目的とする。
【課題を解決するための手段】
【０００５】
本発明の上記目的によれば、導光板を提供している。この導光板は、主に、本体と、複数の第１のストリップ状微細構造と、複数の第２のストリップ状微細構造と、複数の第３のストリップ状微細構造とを含む。本体は、光入射面と、光入射面に接続された光学面とを有する。光学面は、第１の領域及び第２の領域を有し、第１の領域は、第２の領域よりも光入射面に近い。第１のストリップ状微細構造は、第１の領域に設けられ、且つ各第１のストリップ状微細構造は、光入射面に対して垂直な方向に沿って延在している。第２のストリップ状微細構造は、第２の領域に設けられ、且つ各第２のストリップ状微細構造は、光入射面に対して垂直な方向に沿って延在している。各第２のストリップ状微細構造の光入射面に近い一端部の幅は、光入射面から離れた他端部の幅よりも小さい。第３のストリップ状微細構造は、光学面の第１のストリップ状微細構造及び第２のストリップ状微細構造が設けられていない部分領域又は全領域に配置されている。
【０００６】
本発明の実施例によれば、上記第１のストリップ状微細構造の固有の形態は、第２のストリップ状微細構造の固有の形態とは異なる。
【０００７】
本発明の別の実施例によれば、上記各第３のストリップ状微細構造は、光入射面に対して垂直な方向に沿って延在している。
【０００８】
本発明のさらに別の実施例によれば、上記第１の領域及び第２の領域は、光入射面に対して垂直な方向に沿って配列されている。
【０００９】
本発明のさらに別の実施例によれば、上記各第２のストリップ状微細構造は、凸状構造であり、各第２のストリップ状微細構造の光入射面に近い一端部の高さは、光入射面から離れた他端部の高さよりも小さい。
【００１０】
本発明のさらに別の実施例によれば、上記各第２のストリップ状微細構造は、凹状構造であり、各第２のストリップ状微細構造の光入射面に近い一端部の深さは、光入射面から離れた他端部の深さよりも小さい。
【００１１】
本発明のさらに別の実施例によれば、上記本体は、縮径部と平板部とをさらに含む。そのうち、光入射面は、縮径部の一側に位置し、光学面は、平板部上に位置している。
【００１２】
本発明のさらに別の実施例によれば、上記第１のストリップ状微細構造は、互いに連続的に設けられている。
【００１３】
本発明のさらに別の実施例によれば、上記各第１のストリップ状微細構造は、ストリップ状部と縮径構造とを含む。そのうち、縮径構造は、ストリップ状部の光入射面から離れた一端部に接続され、且つ縮径構造の幅は、光入射面に近い一端部から光入射面から離れた他端部に向かって徐々に小さくなっている。
【００１４】
本発明のさらに別の実施例によれば、上記各第２のストリップ状微細構造は、ストリップ状部と縮径構造とを含む。そのうち、縮径構造は、ストリップ状部の光入射面に近い一端部に接続され、且つ縮径構造の幅は、光入射面に近い一端部から光入射面から離れた他端部に向かって徐々に大きくなっている。
【００１５】
本発明のさらに別の実施例によれば、上記第１のストリップ状微細構造のエンド部は、第１の輪郭を形成し、第２のストリップ状微細構造のエンド部は、第２の輪郭を形成する。第１の輪郭と第２の輪郭によって扇形領域を画定している。
【００１６】
本発明のさらに別の実施例によれば、上記第３のストリップ状微細構造は、複数の第１の構造ユニットを含み、各第１の構造ユニットの一端部は、第１のストリップ状微細構造に接続され、他端部は、第２のストリップ状微細構造に接続されている。
【００１７】
本発明のさらに別の実施例によれば、上記第３のストリップ状微細構造は、複数の第２の構造ユニットを含み、各第２の構造ユニットの一端部は、第１のストリップ状微細構造に接続され、他端部は、光学面の光入射面から離れた側縁に接続されている。
【００１８】
本発明のさらに別の実施例によれば、上記第３のストリップ状微細構造は、複数の第３の構造ユニットを含み、各第３の構造ユニットの一端部は、光学面の光入射面に近い第１の側縁に接続され、他端部は、光学面の光入射面から離れた第２側縁に接続されている。
【００１９】
本発明のさらに別の実施例によれば、上記第３のストリップ状微細構造は、複数の第４の構造ユニットを含み、各第４の構造ユニットの一端部は、光学面の光入射面に近い側縁に接続され、他端部は、第２のストリップ状微細構造に接続されている。
【００２０】
本発明のさらに別の実施例によれば、上記第３のストリップ状微細構造は、複数の第５の構造ユニットを含み、各第５の構造ユニットの一端部は、光学面の光入射面に近い第１の側縁と光学面の光入射面から離れた第２の側縁との間に位置し、他端部は、第２の側縁に接続されている。
【００２１】
本発明のさらに別の実施例によれば、上記第３のストリップ状微細構造は、複数の第６の構造ユニットを含み、各第６の構造ユニットの一端部は、光学面の光入射面に近い第１の側縁と光学面の光入射面から離れた第２の側縁との間に位置し、他端部は、第２のストリップ状微細構造に接続されている。
【００２２】
本発明の上記目的によれば、バックライトモジュールを更に提供している。このバックライトモジュールは、上述の導光板と、少なくとも１つの光源とを含む。光源は、導光板の光入射面に隣接して設けられている。
【００２３】
本発明の上記目的によれば、表示装置を更に提供している。この表示装置は、上述の導光板と、少なくとも１つの光源と、表示パネルとを含む。光源は、導光板の光入射面に隣接して設けられている。表示パネルは、導光板の前方に設けられている。
【００２４】
上記本発明から分かるように、本発明は、導光板の光学面上に３種類の異なる形態のストリップ状微細構造を同時に設け、これらストリップ状微細構造の形状変化、高さ又は深さの変化、並び配列方式によって、導光板の集光度合い及び光学的傾向を変えることにより、導光板の輝度及び光射出均一性を向上させることができる。
【００２５】
実施例及びその利点をより完全に理解するために、添付の図面に関連して行われる以下の説明を参照する。
【図面の簡単な説明】
【００２６】
【図１】図１は、本発明の第１の実施形態に係るバックライトモジュールを示す装置模式図である。
【図２】図２は、本発明の第１の実施形態に係るバックライトモジュールを示す断面模式図である。
【図３】図３は、本発明の第２の実施形態に係る導光板を示す部分斜視図である。
【図４】図４は、本発明の第３の実施形態に係る導光板を示す部分斜視図である。
【図５】図５は、本発明の第４の実施形態に係るバックライトモジュールを示す部分装置模式図である。
【図６】図６は、本発明の第５の実施形態に係る導光板を示す部分斜視図である。
【図７】図７は、本発明の第６の実施形態に係る導光板を示す部分斜視図である。
【図８】図８は、本発明の実施形態に係る表示装置を示す装置模式図である。
【発明を実施するための形態】
【００２７】
図１及び図２を併せて参照すると、それぞれ本発明の第１の実施形態に係るバックライトモジュールを示す装置模式図及び断面模式図である。本実施形態のバックライトモジュール４００は、導光板５００と、導光板５００の一側に設けられた光源４１０とを主に備える。導光板５００は、主に、本体５１０と、複数の第１のストリップ状微細構造５２０と、複数の第２のストリップ状微細構造５３０と、複数の第３のストリップ状微細構造５４０とを含む。第１のストリップ状微細構造５２０、第２のストリップ状微細構造５３０、及び第３のストリップ状微細構造５４０は、全て本体５１０に設けられている。第１のストリップ状微細構造５２０は、主に、導光板５００の光入射口付近の光漏れを効果的に霧化するためのものであり、光入射付近の明暗ムラを大幅に改善することができる。第２のストリップ状微細構造５３０は、光学的傾向を制御する機能を有し、導光板５００の光射出の際の明帯（Ｂｒｉｇｈｔ  Ｂａｎｄ）の問題を解決することができる。第３のストリップ状微細構造５４０は、主に、導光板５００の全体の光射出の際の輝度を向上させ、射出光をより均一にするために用いられる。
【００２８】
図２に示すように、導光板５００の本体５１０は、主に、光入射面５１１と、光入射面５１１に接続された光学面５１２とを含む。図１に示すように、光学面５１２は、第１の領域５１２ａ及び第２の領域５１２ｂを有し、第１の領域５１２ａは、第２の領域５１２ｂよりも光入射面５１１に近い。本実施例では、第１の領域５１２ａ及び第２の領域５１２ｂは、光入射面５１１に対して垂直な方向Ｄ１に沿って並んでいる。図１及び図２に示すように、第１のストリップ状微細構造５２０は、第１の領域５１２ａに設けられ、各第１のストリップ状微細構造５２０は、方向Ｄ１に沿って延在している。第２のストリップ状微細構造５３０は、第２の領域５１２ｂに設けられ、各第２のストリップ状微細構造５３０は、同様に方向Ｄ１に沿って延在している。本実施例では、第１のストリップ状微細構造５２０の固有の形態（ｉｎｈｅｒｅｎｔ ｔｙｐｅ）は、第２のストリップ状微細構造５３０の固有の形態とは異なる。ここで言う「固有の形態」とは、第１のストリップ状微細構造５２０及び第２のストリップ状微細構造５３０の構造特徴、例えば、構造形状及び配列密度などを指す。
【００２９】
引き続き図１及び図２を参照すると、各第１のストリップ状微細構造５２０は、ストリップ状部５２０ａ及び縮径構造５２０ｂを含む。第１のストリップ状微細構造５２０の縮径構造５２０ｂは、光入射面５１１から離れたストリップ状部５２０ａの一端部に接続されており、また、縮径構造５２０ｂの幅は、光入射面５１１に近い一端部から光入射面５１１から離れた他端部に向かって徐々に小さくなっており、ストリップ状部５２０ａは単一の幅を有している。一方、各第２のストリップ状微細構造５３０の全体も、同様に縮径構造である。各第２のストリップ状微細構造５３０の光入射面５１１に近い一端部の幅は、光入射面５１１から離れた他端部の幅よりも小さい。これにより、第１のストリップ状微細構造５２０により導光板５００の光入射面５１１付近の光漏れを混合することができる。また、第２のストリップ状微細構造５３０は、光学面５１２の光入射面５１１に近い部分の光射出輝度と、光学面５１２の光入射面５１１から離れた部分の光射出輝度とを一致させることができる。
【００３０】
再び図１及び図２を参照すると、本実施例では、第３のストリップ状微細構造５４０は、第１のストリップ状微細構造５２０及び第２のストリップ状微細構造５３０が設けられていない光学面５１２の全領域に設けられている。各第３のストリップ状微細構造５４０は、方向Ｄ１に沿って延在している。これにより、第３のストリップ状微細構造５４０によって、導光板５００の光射出輝度を高めることができ、導光板５００からの射出光をより均一にすることができる。本実施例では、第１のストリップ状微細構造５２０は、互いに連続的に設けられ、第２のストリップ状微細構造５３０も互いに連続的に設けられている。第３のストリップ状微細構造５４０は、複数の第１の構造ユニット５４１を含む。図１に示すように、各第１の構造ユニット５４１の一端部は、第１のストリップ状微細構造５２０に接続され、他端部は、第２のストリップ状微細構造５３０に接続されている。本実施例では、第３のストリップ状微細構造５４０は、連続的に設けられているが、本発明を限定するものではない。他の実施例では、第３のストリップ状微細構造５４０は、不連続的に離間して設けられてもよい。
【００３１】
本発明において、第３のストリップ状微細構造は、第１のストリップ状微細構造及び第２のストリップ状微細構造の配列又は構造形状の違いに応じて異なる設計を有してもよい。図３は、本発明の第２の実施形態に係る導光板を示す部分斜視図である。図３に示す導光板６００の構造は、図１及び図２に示す導光板５００の構造とほぼ同じであるが、導光板６００の第２のストリップ状微細構造６０３及び第３のストリップ状微細構造６０４が異なる構造である点だけで異なる。図３に示すように、導光板６００における各第２のストリップ状微細構造６０３の一部は、縮径構造であり、且つ第２のストリップ状微細構造６０３の間には距離がある。さらに、各第２のストリップ状微細構造６０３は、ストリップ状部６０３ａ及び縮径構造６０３ｂを含む。そのうち、縮径構造６０３ｂは、ストリップ状部６０３ａの光入射面５１１に近い一端部に接続され、光入射面５１１に近い一端部から光入射面５１１から離れた他端部に向かって幅が徐々に大きくなるように形成されている。ストリップ状部６０３ａは単一の幅を有する。
【００３２】
引き続き図３を参照すると、本実施例では、第３のストリップ状微細構造６０４は、複数の第１の構造ユニット６０４ａ及び複数の第２の構造ユニット６０４ｂを含む。各第１の構造ユニット６０４ａの一端部は、第１のストリップ状微細構造５２０に接続され、他端部は、第２のストリップ状微細構造６０３に接続されている。各第２の構造ユニット６０４ｂの一端部は、第１のストリップ状微細構造５２０に接続され、他端部は、光学面５１２の光入射面５１１から離れた側縁５１２ｃに接続されている。これにより、第３のストリップ状微細構造６０４は、上述の第３のストリップ状微細構造５４０と同じ効果を達成することができるため、ここでは説明を省略する。また、本実施例では、第３のストリップ状微細構造６０４は連続的に設けられているが、本発明を限定するものではない。他の実施例では、第３のストリップ状微細構造６０４は、不連続的に離間して設けられてもよい。
【００３３】
また、図４は、本発明の第３の実施形態に係る導光板を示す部分斜視図である。図４に示す導光板６１０の構造は、図１及び図２に示す導光板５００の構造とほぼ同じであるが、導光板６１０の第１のストリップ状微細構造６１２、第２のストリップ状微細構造６１３及び第３のストリップ状微細構造６１４が異なる構造である点だけで異なる。図４に示すように、導光板６１０における第１のストリップ状微細構造６１２の間には距離があり、第２のストリップ状微細構造６１３の間にも距離がある。
【００３４】
引き続き図４を参照すると、本実施例では、第３のストリップ状微細構造６１４は、複数の第１の構造ユニット６１４ａ、複数の第３の構造ユニット６１４ｂ、及び複数の第４の構造ユニット６１４ｃを含む。各第１の構造ユニット６１４ａの一端部は、第１のストリップ状微細構造６１２に接続され、他端部は、第２のストリップ状微細構造６１３に接続されている。各第３の構造ユニット６１４ｂの一端部は、光学面５１２の光入射面５１１に近い側縁５１２ｄに接続され、他端部は、光学面５１２の光入射面５１１から離れた側縁５１２ｃに接続されている。各第４の構造ユニット６１４ｃの一端部は、光学面５１２の光入射面５１１に近い側縁５１２ｄに接続され、他端部は、第２のストリップ状微細構造６１３に接続されている。したがって、第３のストリップ状微細構造６１４は、上述の第３のストリップ状微細構造５４０と同様の効果を達成することができるため、ここでは説明を省略する。同様に、本実施例では、第３のストリップ状微細構造６１４は、連続的に設けられているが、本発明を限定するものではない。他の実施例では、第３のストリップ状微細構造６１４は、不連続的に離間して設けられてもよい。
【００３５】
なお、上記の実施例では、各第２のストリップ状微細構造は、光入射面から同じ距離を有する。他の実施例では、各第２のストリップ状微細構造と光入射面との間の距離は、光源によって生成される光の形状に応じて設計することができる。さらに、図５を参照すると、本発明の第４の実施形態に係るバックライトモジュールを示す部分装置模式図である。本実施形態のバックライトモジュール７００は、主に、光源７１０及び導光板７２０を含む。光源７１０は、導光板７２０の光入射側に設けられ、且つ回路基板７１１と、回路基板７１１に設けられた複数の発光ダイオード７１２とを含む。本実施形態に係る導光板７２０の構造は、図１及び図２に示した導光板５００の構造とほぼ同じであるが、導光板７２０の第２のストリップ状微細構造７２３及び第３のストリップ状微細構造７２４が異なる構造である点だけで異なる。
【００３６】
図５に示すように、導光板７２０における第２のストリップ状微細構造７２３の間には、距離がある。さらに、各第２のストリップ状微細構造７２３は、ストリップ状部７２３ａ及び縮径構造７２３ｂを含む。そのうち、縮径構造７２３ｂは、ストリップ状部７２３ａの光入射面５１１に近い端部に接続され、光入射面５１１に近い端部から光入射面５１１から離れた他端部に向かって幅が徐々に大きくなっており、ストリップ状部７２３ａは、単一の幅を有する。本実施例では、発光ダイオード７１２によって生成された光は、発散するように導光板７２０に入射されるため、発光ダイオード７１２に正対している位置の輝度は、発光ダイオード７１２に正対していない位置の輝度よりも強い。したがって、本実施例では、発光ダイオード７１２に正対している第２のストリップ状微細構造７２３と光入射面５１１との間の距離は、発光ダイオード７１２に正対していない第２のストリップ状微細構造７２３と光入射面１１１との間の距離よりも遠く、第１のストリップ状微細構造５２０と第２のストリップ状微細構造７２３との間に扇形領域が形成されるようになる。すなわち、この扇形領域は、第１のストリップ状微細構造５２０のエンド部によって形成された第１の輪郭Ａ１と、第２のストリップ状微細構造７２３のエンド部によって形成された第２の輪郭Ａ２とによって画定される。これにより、導光板７２０全体の光射出輝度がより均一になるように、発光ダイオード７１２に正対していない第２のストリップ状微細構造７２３から射出される光は、発光ダイオード７１２に正対している第２のストリップ状微細構造７２３から射出される光よりも多い。
【００３７】
引き続き図５を参照すると、本実施例では、第３のストリップ状微細構造７２４は、複数の第１の構造ユニット７２４ａ及び複数の第２の構造ユニット７２４ｂを含む。各第１の構造ユニット７２４ａの一端部は、第１のストリップ状微細構造５２０に接続され、他端部は、第２のストリップ状微細構造７２３に接続されている。各第２の構造ユニット７２４ｂの一端部は、第１のストリップ状微細構造５２０に接続され、他端部は、光学面５１２の光入射面５１１から離れた側縁５１２ｃに接続されている。これにより、第３のストリップ状微細構造７２４も、上述第３のストリップ状微細構造５４０と同様の効果を達成することができるため、ここでは説明を省略する。同様に、本実施例では、第３のストリップ状微細構造７２４は、連続的に設けられているが、本発明を限定するものではない。他の実施例では、第３のストリップ状微細構造７２４は、不連続的に離間して設けられてもよい。
【００３８】
なお、上述の実施例の第３のストリップ状微細構造は、光学面の第１のストリップ状微細構造及び第２のストリップ状微細構造が設けられていない全領域に設けられているが、本発明を限定するものではない。他の実施例では、第３のストリップ状微細構造は、光学面の第１のストリップ状微細構造及び第２のストリップ状微細構造が設けられていない部分領域のみに設けられてもよい。図６に示すように、図６は、本発明の第５の実施形態に係る導光板を示す部分斜視図である。図６に示す導光板８００の構造は、図３に示す導光板６００の構造とほぼ同じであるが、導光板８００の第３のストリップ状微細構造７０４が異なる構造である点だけで異なる。
【００３９】
引き続き図６を参照すると、本実施例では、第３のストリップ状微細構造７０４は、複数の第５の構造ユニット７０４ａ及び複数の第６の構造ユニット７０４ｂを含む。各第５の構造ユニット７０４ａの一端部は、光学面５１２の光入射面５１１に近い側縁５１２ｄと、光学面５１２の光入射面から離れた側縁５１２ｃとの間に位置し、他端部は、側縁５１２ｃに接続されている。すなわち、第５の構造ユニット７０４ａの一端部は、側縁５１２ｄまたは第１のストリップ状微細構造５２０に接続されておらず、他端部は、側縁５１２ｃに接続されている。図６に示すように、各第６の構造ユニット７０４ｂの一端部は、光学面５１２の光入射面５１１に近い側縁５１２ｄと、光学面５１２の光入射面から離れた側縁５１２ｃとの間に位置し、他端部は、第２のストリップ状微細構造６０３に接続されている。すなわち、第６の構造ユニット７０４ｂの一端部は、側縁５１２ｄまたは第１のストリップ状微細構造５２０に接続されておらず、他端部は、第２のストリップ状微細構造６０３に接続されている。これにより、第３のストリップ状微細構造７０４は、上述の第３のストリップ状微細構造６０４と同様の効果を達成することができるため、ここでは説明を省略する。同様に、本実施例では、第３のストリップ状微細構造７０４は連続的に設けられているが、他の実施例では、第３のストリップ状微細構造７０４は不連続的に離間して設けられてもよい。
【００４０】
なお、第３のストリップ状微細構造の形態は、上述の実施例に開示されたものに限定されるものではない。様々な実施例では、第３のストリップ状微細構造は、異なる設計要件を満たすために、第１の構造ユニット、第２の構造ユニット、第３の構造ユニット、第４の構造ユニット、第５の構造ユニット及び第６の構造ユニットの任意の組み合わせを含み得る。また、本明細書において、「第１」、「第２」、「第３」、「第４」、「第５」及び「第６」等という用語は、構成要素の名称を示すために使用され、順序又は数量を示すものではない。
【００４１】
本発明において、導光板の本体は、均一な厚さを有しない平板であってもよい。また、図７は、本発明の第６の実施形態に係る導光板を示す部分斜視図である。本実施形態の導光板９００の構造は、図１に示した導光板５００の構造とほぼ同じであるが、両者の違いは導光板９００の本体９１０が均一な厚さを有する平板ではない点だけで異なる。
【００４２】
図７に示すように、導光板９００は、主に、本体９１０と、複数の第１のストリップ状微細構造９２０と、複数の第２のストリップ状微細構造９３０と、複数の第３のストリップ状微細構造９４０とを含む。第１のストリップ状微細構造９２０、第２のストリップ状微細構造９３０、及び第３のストリップ状微細構造９４０は、いずれも本体９１０上に設けられている。本実施例では、本体９１０は、縮径部９１０ａ及び平板部９１０ｂをさらに含む。そのうち、本体９１０は、主に、光入射面９１１と、光学面９１２とを含む。本体９１０は、縮径部９１０ａの一側に位置している光入射面９１１及び平板部９１０ｂに位置している光学面９１２を有する。また、縮径部９１０ａの光入射面９１１付近の厚さは、光入射面９１１から離れた厚さよりも大きい。本実施例では、第１のストリップ状微細構造９２０、第２のストリップ状微細構造９３０及び第３のストリップ状微細構造９４０は、光学面９１２上に設けられている。なお、本実施形態の第１のストリップ状微細構造９２０、第２のストリップ状微細構造９３０及び第３のストリップ状微細構造９４０の設計態様は、上述の第１のストリップ状微細構造５２０及び６１２、第２のストリップ状微細構造５３０、６０３、６１３及び７２３、並びに第３のストリップ状微細構造５４０、６０４、６１４、７０４及び７２４と同一であるため、ここでは説明を省略する。
【００４３】
なお、上記の実施例では、第２のストリップ状微細構造５３０、６０３、６１３、７２３及び９３０は、凸状構造であり、且つ各第２のストリップ状微細構造５３０、６０３、６１３、７２３及び９３０の光入射面５１１付近の一端部の高さは光入射面５１１から離れた他端部の高さよりも小さい。他の実施例では、各第２のストリップ状微細構造は、凹状構造であってもよく、各第２のストリップ状微細構造の光入射面付近の一端部の深さは、光入射面から離れた他端部の深さよりも小さい。
【００４４】
図８も参照すると、本発明の実施形態に係る表示装置を示す装置模式図である。本実施形態の表示装置１０００は、図１及び図２に示すようなバックライトモジュール４００及び表示パネル１１００を含む。図８に示すように、表示パネル１１００は、バックライトモジュール４００の導光板５００の前方に設けられており、上述と同様の目的を達成することができるため、ここでは説明を省略する。なお、本願の実施例は、図１に示した導光板５００を有するバックライトモジュール４００を表示装置１１００に適用したものであり、単なる例示であり、本発明を限定するものではない。また、上述した他の実施例の導光板（例えば、導光板５００、６００、６１０、７２０、８００、９００）を表示装置に適用しても同様の効果を得ることができる。
【００４５】
上述した本発明の実施形態から分かるように、本発明は、導光板の光学面に３種類の異なる形態のストリップ状微細構造を同時に設け、これらストリップ状微細構造の形状変化、高さ又は深さの変化、及び配列方式によって、導光板の集光度合い及び光学的傾向を変えることにより、導光板の輝度及び光射出均一性を向上させることができる。
【００４６】
以上、実施例を挙げて本発明を開示したが、本発明はこれらの実施例に限定されるものではなく、当業者であれば、本発明の要旨を逸脱しない範囲で種々の変更が可能である。したがって、本発明の保護範囲は、添付の特許請求の範囲によって定義されるべきである。
【符号の説明】
【００４７】
４００  バックライトモジュール
４１０  光源
５００  導光板
５１０  本体
５１１  光入射面
５１２  光学面
５１２ａ  第１の領域
５１２ｂ  第２の領域
５１２ｃ  側縁
５１２ｄ  側縁
５２０  第１のストリップ状微細構造
５２０ａ  ストリップ状部
５２０ｂ  縮径構造
５３０  第２のストリップ状微細構造
５４０  第３のストリップ状微細構造
５４１  第１の構造ユニット
６００  導光板
６０３  第２のストリップ状微細構造
６０３ａ  ストリップ状部
６０３ｂ  縮径構造
６０４  第３のストリップ状微細構造
６０４ａ  第１の構造ユニット
６０４ｂ  第２の構造ユニット
６１０  導光板
６１２  第１のストリップ状微細構造
６１３  第２のストリップ状微細構造
６１４  第３のストリップ状微細構造
６１４ａ  第１の構造ユニット
６１４ｂ  第３の構造ユニット
６１４ｃ  第４の構造ユニット
７００  バックライトモジュール
７０４  第３のストリップ状微細構造
７０４ａ  第５の構造ユニット
７０４ｂ  第６の構造ユニット
７１０  光源
７１１  回路基板
７１２  発光ダイオード
７２０  導光板
７２３  第２のストリップ状微細構造
７２３ａ  ストリップ状部
７２３ｂ  縮径構造
７２４  第３のストリップ状微細構造
７２４ａ  第１の構造ユニット
７２４ｂ  第２の構造ユニット
８００  導光板
９００  導光板
９１０  本体
９１０ａ  縮径部
９１０ｂ  平板部
９１１  光入射面
９１２  光学面
９２０  第１のストリップ状微細構造
９３０  第２のストリップ状微細構造
９４０  第３のストリップ状微細構造
１０００  ディスプレイ装置
１１００  ディスプレイパネル
Ａ１  第１の輪郭
Ａ２  第２の輪郭
Ｄ１  方向
【図１】
2019533290.tif 000003
【図２】
2019533290.tif 000004
【図３】
2019533290.tif 000005
【図４】
2019533290.tif 000006
【図５】
2019533290.tif 000007
【図６】
2019533290.tif 000008
【図７】
2019533290.tif 000009
【図８】
2019533290.tif 000010
【手続補正書】
【提出日】平成31年4月11日(2019.4.11)
【手続補正１】
【補正対象書類名】特許請求の範囲
【補正対象項目名】全文
【補正方法】変更
【補正の内容】
【特許請求の範囲】
【請求項１】
光入射面と前記光入射面に接続された光学面とを有し、前記光学面は、第１の領域及び第２の領域を有し、前記第１の領域が前記第２の領域よりも前記光入射面に近い本体と、
前記第１の領域に設けられ、前記光入射面に対して垂直な方向に沿って延在している複数の第１のストリップ状微細構造と、
前記第２の領域に設けられ、前記方向に沿って延在していると共に、前記光入射面に近い一端部の幅が前記光入射面から離れた他端部の幅よりも小さい複数の第２のストリップ状微細構造と、
前記光学面の前記複数の第１のストリップ状微細構造及び前記複数の第２のストリップ状微細構造が設けられていない部分領域又は全領域に配置されている複数の第３のストリップ状微細構造と、を備える導光板。
【請求項２】
前記複数の第１のストリップ状微細構造の固有の形態は、前記複数の第２のストリップ状微細構造の固有の形態とは異なる、請求項１に記載の導光板。
【請求項３】
前記複数の第３のストリップ状微細構造のそれぞれは、前記方向に沿って延在している、請求項１または２に記載の導光板。
【請求項４】
前記第１の領域と前記第２の領域とは、前記方向に沿って配列されている、請求項１乃至３のいずれか１項に記載の導光板。
【請求項５】
前記複数の第２のストリップ状微細構造のそれぞれは、凸状構造であり、前記複数の第２のストリップ状微細構造のそれぞれの前記光入射面に近い一端部の高さは、前記光入射面から離れた他端部の高さよりも小さい、請求項１乃至４のいずれか１項に記載の導光板。
【請求項６】
前記複数の第２のストリップ状微細構造のそれぞれは、凹状構造であり、前記複数の第２のストリップ状微細構造のそれぞれの前記光入射面に近い一端部の深さは、前記光入射面から離れた他端部の深さよりも小さい、請求項１乃至４のいずれか１項に記載の導光板。
【請求項７】
前記本体は、縮径部と平板部とをさらに含み、前記光入射面は、前記縮径部の一側に位置し、前記光学面は、前記平板部上に位置している、請求項１乃至６のいずれか１項に記載の導光板。
【請求項８】
前記複数の第１のストリップ状微細構造のそれぞれは、互いに連続的に設けられている、請求項１乃至７のいずれか１項に記載の導光板。
【請求項９】
前記複数の第１のストリップ状微細構造のそれぞれは、ストリップ状部と前記ストリップ状部の前記光入射面から離れた一端部に接続された縮径構造とを含み、且つ前記縮径構造の幅は、前記光入射面に近い一端部から前記光入射面から離れた他端部に向かって徐々に小さくなっている、請求項１乃至８のいずれか１項に記載の導光板。
【請求項１０】
前記複数の第２のストリップ状微細構造のそれぞれは、ストリップ状部と前記ストリップ状部の前記光入射面に近い一端部に接続された縮径構造とを含み、且つ前記縮径構造の幅は、前記光入射面に近い一端部から前記光入射面から離れた他端部に向かって徐々に大きくなっている、請求項１乃至８のいずれか１項に記載の導光板。
【請求項１１】
前記複数の第１のストリップ状微細構造のエンド部は、第１の輪郭を形成し、前記複数の第２のストリップ状微細構造のエンド部は、第２の輪郭を形成し、前記第１の輪郭と前記第２の輪郭によって扇形領域を画定している、請求項１乃至１０のいずれか１項に記載の導光板。
【請求項１２】
前記複数の第３のストリップ状微細構造は、複数の第１の構造ユニットを含み、前記複数の第１の構造ユニットのそれぞれの一端部は、前記複数の第１のストリップ状微細構造に接続され、他端部は、前記複数の第２のストリップ状微細構造に接続されている、請求項１乃至１１のいずれか１項に記載の導光板。
【請求項１３】
前記複数の第３のストリップ状微細構造は、複数の第２の構造ユニットを含み、前記複数の第２の構造ユニットのそれぞれの一端部は、前記第１のストリップ状微細構造に接続され、他端部は、前記光学面の前記光入射面から離れた側縁に接続されている、請求項１乃至１１のいずれか１項に記載の導光板。
【請求項１４】
前記複数の第３のストリップ状微細構造は、複数の第３の構造ユニットを含み、前記複数の第３の構造ユニットのそれぞれの一端部は、前記光学面の前記光入射面に近い第１の側縁に接続され、他端部は、前記光学面の前記光入射面から離れた第２の側縁に接続されている、請求項１乃至１１のいずれか１項に記載の導光板。
【請求項１５】
前記複数の第３のストリップ状微細構造は、複数の第４の構造ユニットを含み、前記複数の第４構造ユニットのそれぞれの一端部は、前記光学面の前記光入射面に近い側縁に接続され、他端部は、前記複数の第２のストリップ状微細構造に接続されている、請求項１乃至１１のいずれか１項に記載の導光板。
【請求項１６】
前記複数の第３のストリップ状微細構造は、複数の第５の構造ユニットを含み、前記複数の第５の構造ユニットのそれぞれの一端部は、前記光学面の前記光入射面に近い第１の側縁と前記光学面の前記光入射面から離れた第２の側縁との間に位置し、他端部は、前記第２の側縁に接続されている、請求項１乃至１１のいずれか１項に記載の導光板。
【請求項１７】
前記複数の第３のストリップ状微細構造は、複数の第６の構造ユニットを含み、前記複数の第６の構造ユニットのそれぞれの一端部は、前記光学面の前記光入射面に近い第１の側縁と前記光学面の前記光入射面から離れた第２の側縁との間に位置し、他端部は、前記複数の第２のストリップ状微細構造に接続されている、請求項１乃至１１のいずれか１項に記載の導光板。
【請求項１８】
請求項１乃至１７のいずれか１項に記載の導光板と、
前記導光板の光入射面に隣接して設けられた少なくとも１つの光源と、を備えるバックライトモジュール。
【請求項１９】
請求項１乃至１７のいずれか１項に記載の導光板と、
前記導光板の光入射面に隣接して設けられた少なくとも１つの光源と、
前記導光板の前方に設けられた表示パネルと、を備える表示装置。
【国際調査報告】
2019533290.tif 000011
2019533290.tif 000012
2019533290.tif 000013
2019533290.tif 000014